(57)【要約】  基準電圧設定部（１７７）と、有機ＥＬ表示部（１１０）と、有機ＥＬ表示部（１１０）内における少なくとも一つの発光画素に印加される高電位側の電位及び低電位側の電位のうちの少なくとも一方の電位を検出するモニタ用配線（１９０）及びサンプルホールド回路（１７５）と、基準電圧設定部（１７７）から出力される高電位側及び低電位側の出力電位の少なくとも一方を調整する可変電圧源（１８０）とを具備し、画像表示期間の少なくとも一部において、モニタ用配線（１９０）及びサンプルホールド回路（１７５）は高電位側の電位及び低電位側の電位のうちの少なくとも一方の電位の検出を行い、黒表示期間において、モニタ用配線（１９０）及びサンプルホールド回路（１７５）は高電位側の電位及び低電位側の電位のうちの少なくとも一方の電位の検出を行わない。
2013008272.tif 000002
【特許請求の範囲】
【請求項１】
高電位側の電位及び低電位側の電位を出力する電源供給部と、
複数の発光画素が配置され、前記電源供給部から電源供給を受ける表示部と、
前記表示部内における少なくとも一つの発光画素に印加される高電位側の電位及び低電位側の電位のうちの少なくとも一方の電位を検出する電圧検出部と、
前記高電位側の電位と基準電位との電位差、前記低電位側の電位と基準電位との電位差、または、前記高電位側の電位と前記低電位側の電位との電位差のいずれかが所定の電位差となるように、前記電源供給部から出力される前記高電位側及び前記低電位側の出力電位の少なくとも一方を調整する電圧調整部とを具備し、
前記表示部は、前記複数の発光画素の少なくとも一部で画像表示を行う画像表示期間と、前記複数の発光画素の全てで黒表示を行う黒表示期間とを交互に繰り返し、
前記画像表示期間の少なくとも一部において、前記電圧検出部は前記高電位側の電位及び低電位側の電位のうちの少なくとも一方の電位の検出を行い、前記黒表示期間において、前記電圧検出部は前記高電位側の電位及び低電位側の電位のうちの少なくとも一方の電位の検出を行わない、
表示装置。
【請求項２】
前記電圧検出部は、サンプリング信号に基づいて前記高電位側の電位及び低電位側の電位のうちの少なくとも一方の電位をサンプリングし、ホールドするサンプルホールド回路を含む、
請求項１に記載の表示装置。
【請求項３】
前記サンプルホールド回路は、前記画像表示期間の開始以降に前記高電位側の電位及び低電位側の電位のうちの少なくとも一方の電位のサンプリングを行い、当該画像表示期間の終了以前に当該電位のホールドを行う、
請求項２に記載の表示装置。
【請求項４】
前記サンプルホールド回路は、前記画像表示期間の開始と同時にサンプリングを行う、
請求項３に記載の表示装置。
【請求項５】
前記サンプルホールド回路は、前記画像表示期間よりも短い期間、サンプリングを行う、
請求項４に記載の表示装置。
【請求項６】
前記サンプルホールド回路は、一の画像表示期間内において複数回のサンプリングを行う、
請求項２に記載の表示装置。
【請求項７】
前記発光画素は、有機ＥＬ素子を含む、
請求項１に記載の表示装置。
【請求項８】
前記表示部は、前記黒表示期間を介して連続する２つの前記画像表示期間において、右眼用の画像及び左眼用の画像を交互に表示し、
前記右眼用の画像及び前記左眼用の画像を順次目視可能とする眼鏡を介して、立体画像として視認させる、
請求項１に記載の表示装置。
【請求項９】
前記表示部は、１フレームが前記画像表示期間の異なる複数のサブフィールドに分割され、表示階調に応じて前記複数のサブフィールドから選択するサブフィールド法によって表示を行う、
請求項１に記載の表示装置。
【請求項１０】
前記電圧検出部は、前記画像表示期間のうち、全面黒画像を表示する画像表示期間について前記高電位側の電位及び低電位側の電位のうちの少なくとも一方の電位の検出を行わない、
請求項１に記載の表示装置。
【請求項１１】
前記表示部は、前記画像表示期間において前記複数の発光画素を同時に発光状態とし、前記黒表示期間において前記複数の発光画素を同時に非発光状態とする、
請求項１に記載の表示装置。
【請求項１２】
前記高電位側の印加電位が検出される前記発光画素と、前記低電位側の印加電位が検出される前記発光画素とが異なる発光画素である、
請求項１に記載の表示装置。
【請求項１３】
前記高電位側の印加電位が検出される前記発光画素の個数、及び前記低電位側の印加電位が検出される前記発光画素の個数の少なくとも一方は、複数である、
請求項１に記載の表示装置。
【請求項１４】
前記電圧調整部は、前記電圧検出部で検出された複数の高電位側の印加電位のうち最小の印加電位と、前記電圧検出部で検出された複数の低電位側の印加電位のうち最大の印加電位との少なくとも一方を選択し、当該選択した印加電位に基づいて前記電源供給部を調整する、
請求項１３に記載の表示装置。
【請求項１５】
さらに、
前記高電位側の印加電位が検出される前記発光画素に一端が接続され、前記電圧調整部に他端が接続された、前記高電位側の印加電位を伝達するための高電位側検出線と、前記低電位側の印加電位が検出される前記発光画素に一端が接続され、前記電圧調整部に他端が接続された、前記低電位側の印加電位を伝達するための低電位側検出線との少なくとも一方を備える、
請求項１に記載の表示装置。
【請求項１６】
前記電圧検出部は、さらに、前記電源供給部により出力される、前記高電位側の出力電位及び前記低電位側の出力電位の少なくとも一方を検出し、
前記電圧調整部は、前記電源供給部により出力される前記高電位側の出力電位と、前記少なくとも１つの発光画素に印加される高電位側の印加電位との電位差、及び、前記電源供給部により出力される前記低電位側の出力電位と、前記少なくとも一つの発光画素に印加される低電位側の印加電位との電位差の少なくとも一方の電位差に応じて、前記電源供給部から出力される前記高電位側の出力電位及び前記低電位側の出力電位の少なくとも一方を調整する、
請求項１に記載の表示装置。
【請求項１７】
前記電圧調整部は、前記少なくとも一方の電位差と、前記高電位側の印加電位と基準電位との電位差、及び、前記低電位側の印加電位と基準電位との電位差の少なくとも一方の電位差とが、増加関数の関係となるように、前記電源供給部から出力される前記高電位側の出力電位及び前記低電位側の出力電位を調整する、
請求項１６に記載の表示装置。
【請求項１８】
前記電圧検出部は、さらに、前記電源供給部と前記発光画素の高電位側とを接続する電流経路上における高電位側の電位、及び前記電源供給部と前記発光画素の低電位側とを接続する電流経路上における低電位側の電位の少なくとも一方を検出し、
前記電圧調整部は、前記電源供給部と前記発光画素の高電位側とを接続する電流経路上における前記高電位側の電位と、前記少なくとも１つの発光画素に印加される高電位側の印加電位との電位差、及び、前記電源供給部と前記発光画素の低電位側とを接続する電流経路上における前記低電位側の電位と、前記少なくとも一つの発光画素に印加される低電位側の印加電位との電位差の少なくとも一方の電位差に応じて、前記電源供給部から出力される前記高電位側の出力電位及び前記低電位側の出力電位の少なくとも一方を調整する、
請求項１に記載の表示装置。
【請求項１９】
前記電圧調整部は、前記少なくとも一方の電位差と、前記高電位側の印加電位と基準電位との電位差、及び、前記低電位側の印加電位と基準電位との電位差の少なくとも一方の電位差とが、増加関数の関係となるように調整する、
請求項１８に記載の表示装置。
【請求項２０】
前記複数の発光画素は、それぞれ、ソース電極及びドレイン電極を有する駆動素子と、第１の電極及び第２の電極を有する発光素子とを備え、
前記第１の電極が前記駆動素子のソース電極及びドレイン電極の一方に接続され、前記ソース電極及びドレイン電極の他方と前記第２の電極との一方に高電位側の電位が印加され、前記ソース電極及びドレイン電極の他方と前記第２の電極との他方に低電位側の電位が印加される、
請求項１に記載の表示装置。
【請求項２１】
前記複数の発光画素は、行列状に配列されており、
行方向及び列方向の少なくとも一つの方向に隣接する前記発光素子の前記ソース電極及びドレイン電極の他方どうしを接続する第１の電源線と、行方向及び列方向に隣接する前記発光素子の前記第２の電極どうしを接続する第２の電源線とをさらに備え、
前記第１の電源線と第２の電源線を介して前記電源供給部からの電源供給を受ける、
請求項２０に記載の表示装置。
【請求項２２】
前記第２の電極及び前記第２の電源線は、前記複数の発光画素に共通して設けられた共通電極の一部を構成しており、前記共通電極の周囲から電位が印加されるように、前記電源供給部と電気的に接続されている、
請求項２１に記載の表示装置。
【請求項２３】
前記第２の電極は、金属酸化物からなる透明導電性材料で形成されている、
請求項２２に記載の表示装置。
【請求項２４】
高電位側の電位及び低電位側の電位を出力する電源供給部と、複数の発光画素が配置され、前記電源供給部から電源供給を受ける表示部とを備えた表示装置の駆動方法であって、
前記表示部内における少なくとも一つの発光画素に印加される高電位側の電位及び低電位側の電位のうちの少なくとも一方の電位を検出する電圧検出ステップと、
前記高電位側の電位と基準電位との電位差、前記低電位側の電位と基準電位との電位差、または、前記高電位側の電位と前記低電位側の電位との電位差のいずれかが所定の電位差となるように、前記電源供給部から出力される前記高電位側及び前記低電位側の出力電位の少なくとも一方を調整する電圧調整ステップとを含み、
前記表示部は、前記複数の発光画素の少なくとも一部で画像表示を行う画像表示期間と、前記複数の発光画素の全てで黒表示を行う黒表示期間とを交互に繰り返し、
前記画像表示期間の少なくとも一部において前記電圧検出ステップを実行し、前記黒表示期間において前記電圧検出ステップを実行しない、
表示装置の駆動方法。
【発明の詳細な説明】
【技術分野】
【０００１】
本発明は、有機ＥＬに代表される電流駆動型発光素子を用いたアクティブマトリクス型表示装置に関し、さらに詳しくは、消費電力低減効果の高い表示装置に関する。
【背景技術】
【０００２】
一般に、有機ＥＬ素子の輝度は、素子に供給される駆動電流に依存し、駆動電流に比例して素子の発光輝度が大きくなる。従って、有機ＥＬ素子からなるディスプレイの消費電力は、表示輝度の平均で決まる。即ち、液晶ディスプレイと異なり、有機ＥＬディスプレイの消費電力は、表示画像によって大きく変動する。【０００３】
例えば、有機ＥＬディスプレイにおいては、全白画像を表示した場合に最も大きな消費電力を必要とするが、一般的な自然画の場合は、全白時に対して２０〜４０％程度の消費電力で十分とされる。【０００４】
しかしながら、電源回路設計やバッテリ容量は、ディスプレイの消費電力が最も大きくなる場合を想定して設計されることから、一般的な自然画に対して３〜４倍の消費電力を考慮しなければならず、機器の低消費電力化及び小型化の妨げとなっている。【０００５】
そこで従来では、映像データのピーク値を検出し、その検出データに基づいて有機ＥＬ素子のカソード電圧を調整して、電源電圧を減少させることにより表示輝度をほとんど低下させずに消費電力を抑制するという技術が提案されている（例えば、特許文献１参照）。
【先行技術文献】
【特許文献】
【０００６】
【特許文献１】特開２００６−０６５１４８号公報
【発明の概要】
【発明が解決しようとする課題】
【０００７】
さて、有機ＥＬ素子は電流駆動素子であることから、電源配線には電流が流れ、配線抵抗に比例した電圧降下が発生する。そのため、ディスプレイに供給される電源電圧は、電圧降下を補う電圧降下マージンを上乗せして設定されている。電圧降下分を補う電圧降下マージンについても、上述の電源回路設計やバッテリ容量と同様に、ディスプレイの消費電力が一番大きくなる場合を想定して設定されることから、一般的な自然画に対して無駄な電力が消費されていることになる。【０００８】
モバイル機器用途を想定した小型ディスプレイでは、パネル電流が小さいので、電圧降下分を補う電圧降下マージンは発光画素で消費される電圧に比べて無視できるほど小さい。しかし、パネルの大型化に伴って電流が増加すると、電源配線で生じる電圧降下が無視できなくなる。【０００９】
しかしながら、上記特許文献１における従来技術においては、各発光画素における消費電力を低減することはできるが、電圧降下分を補う電圧降下マージンを低減することはできず、家庭向けの３０型以上の大型表示装置における消費電力低減効果としては不十分である。【００１０】
本発明は上述の問題に鑑みてなされたものであり、消費電力低減効果の高い表示装置を提供することを目的とする。
【課題を解決するための手段】
【００１１】
上記目的を達成するために、本発明の一態様に係る表示装置は、高電位側の電位及び低電位側の電位を出力する電源供給部と、複数の発光画素が配置され、前記電源供給部から電源供給を受ける表示部と、前記表示部内における少なくとも一つの発光画素に印加される高電位側の電位及び低電位側の電位のうちの少なくとも一方の電位を検出する電圧検出部と、前記高電位側の電位と基準電位との電位差、前記低電位側の電位と基準電位との電位差、または、前記高電位側の電位と前記低電位側の電位との電位差のいずれかが所定の電位差となるように、前記電源供給部から出力される前記高電位側及び前記低電位側の出力電位の少なくとも一方を調整する電圧調整部とを具備し、前記表示部は、前記複数の発光画素の少なくとも一部で画像表示を行う画像表示期間と、前記複数の発光画素の全てで黒表示を行う黒表示期間とを交互に繰り返し、前記画像表示期間の少なくとも一部において、前記電圧検出部は前記高電位側の電位及び低電位側の電位のうちの少なくとも一方の電位の検出を行い、前記黒表示期間において、前記電圧検出部は前記高電位側の電位及び低電位側の電位のうちの少なくとも一方の電位の検出を行わないことを特徴とする。
【発明の効果】
【００１２】
本発明によれば、消費電力低減効果の高い表示装置を提供することができる。
【図面の簡単な説明】
【００１３】
【図１】図１は、本発明の実施の形態１に係る表示装置の概略構成を示すブロック図である。
【図２】図２は、実施の形態１に係る有機ＥＬ表示部の構成を模式的に示す斜視図である。
【図３】図３は、モニタ用の発光画素の具体的な構成の一例を示す回路図である。
【図４】図４は、実施の形態１に係る可変電圧源の具体的な構成の一例を示すブロック図である。
【図５】図５は、実施の形態１に係る表示装置の動作を示すフローチャートである。
【図６】図６は、実施の形態１に係る信号処理回路が有する必要電圧換算テーブルの一例を示す図である。
【図７】図７は、実施の形態１に係る表示装置の動作の一例を示す図である。
【図８】図８は、本発明の実施の形態１の変形例１に係るサンプルパルスの一例を示す図である。
【図９】図９は、本発明の実施の形態１の変形例２に係る映像データの一例を示す図である。
【図１０】図１０は、本発明の実施の形態２に係る表示装置の概略構成を示すブロック図である。
【図１１】図１１は、実施の形態２に係る表示装置の動作を示すフローチャートである。
【図１２】図１２は、実施の形態２に係る信号処理回路が有する必要電圧換算テーブルの一例を示す図である。
【図１３】図１３は、本発明の実施の形態３に係る表示装置の概略構成の一例を示すブロック図である。
【図１４】図１４は、駆動トランジスタの電流−電圧特性と有機ＥＬ素子の電流−電圧特性とをあわせて示すグラフである。
【図１５】図１５は、本発明の表示装置を内蔵した薄型フラットＴＶの外観図である。
【発明を実施するための形態】
【００１４】
本発明の一態様に係る表示装置は、高電位側の電位及び低電位側の電位を出力する電源供給部と、複数の発光画素が配置され、前記電源供給部から電源供給を受ける表示部と、前記表示部内における少なくとも一つの発光画素に印加される高電位側の電位及び低電位側の電位のうちの少なくとも一方の電位を検出する電圧検出部と、前記高電位側の電位と基準電位との電位差、前記低電位側の電位と基準電位との電位差、または、前記高電位側の電位と前記低電位側の電位との電位差のいずれかが所定の電位差となるように、前記電源供給部から出力される前記高電位側及び前記低電位側の出力電位の少なくとも一方を調整する電圧調整部とを具備し、前記表示部は、前記複数の発光画素の少なくとも一部で画像表示を行う画像表示期間と、前記複数の発光画素の全てで黒表示を行う黒表示期間とを交互に繰り返し、前記画像表示期間の少なくとも一部において、前記電圧検出部は前記高電位側の電位及び低電位側の電位のうちの少なくとも一方の電位の検出を行い、前記黒表示期間において、前記電圧検出部は前記高電位側の電位及び低電位側の電位のうちの少なくとも一方の電位の検出を行わないことを特徴とする。
【００１５】
画像表示期間及び黒表示期間を通じて常に発光画素の電圧検出を行うと、画像表示期間と黒表示期間で発光画素に供給される電圧が大きく変動し、不要輻射によるノイズが発生したり、パネル容量への充放電による電力ロスが発生してしまう問題がある。
【００１６】
本発明では、画像表示期間においてのみ発光画素の電圧検出を行い、画像表示期間に検出された電圧に基づいて調整された電圧を、画像表示期間及び黒表示期間にパネルに供給するので、発光画素に供給される電圧が大きく変動することがなく、消費電力低減効果の高い表示装置を提供することができる。
【００１７】
また、本発明の一態様に係る表示装置は、前記電圧検出部は、サンプリング信号に基づいて前記高電位側の電位及び低電位側の電位のうちの少なくとも一方の電位をサンプリングし、ホールドするサンプルホールド回路を含んでもよい。
【００１８】
これにより、所定の期間のみ電位をサンプリングしてホールドすることができるので、消費電力効果の高い表示装置を効率よく提供することができる。
【００１９】
また、本発明の一態様に係る表示装置は、前記サンプルホールド回路は、前記画像表示期間の開始以降に前記高電位側の電位及び低電位側の電位のうちの少なくとも一方の電位のサンプリングを行い、当該画像表示期間の終了以前に当該電位のホールドを行ってもよい。
【００２０】
これにより、画像表示期間の開始以降であれば、画像表示期間の電圧検出を行うことができる。また、画像表示期間の終了以前に電位のホールドを行うことにより、黒表示期間の電圧検出を行うことがなく、画像表示期間内の電圧検出を確実に行うことができる。
【００２１】
また、本発明の一態様に係る表示装置は、前記サンプルホールド回路は、前記画像表示期間の開始と同時にサンプリングを行ってもよい。
【００２２】
これにより、画像表示期間が短い場合であっても、確実に画像表示期間の電圧検出を行うことができる。
【００２３】
また、本発明の一態様に係る表示装置は、前記サンプルホールド回路は、前記画像表示期間よりも短い期間、サンプリングを行ってもよい。
【００２４】
これにより、黒表示期間に電圧検出を行うことがなく、画像表示期間内の電圧検出を確実に行うことができる。
【００２５】
また、本発明の一態様に係る表示装置は、前記サンプルホールド回路は、一の画像表示期間内において複数回のサンプリングを行ってもよい。
【００２６】
これにより、電圧検出中に電圧が変化したとしても、画像表示期間の電圧検出を精度よく行うことができる。
【００２７】
また、本発明の一態様に係る表示装置は、前記発光画素は、有機ＥＬ素子を含んでもよい。
【００２８】
これにより、電流駆動型である有機ＥＬ素子を利用した表示パネルにおいて、消費電力を低減することができる。
【００２９】
また、本発明の一態様に係る表示装置は、前記表示部は、前記黒表示期間を介して連続する２つの前記画像表示期間において、右眼用の画像及び左眼用の画像を交互に表示し、前記右眼用の画像及び前記左眼用の画像を順次目視可能とする眼鏡を介して、立体画像として視認させてもよい。
【００３０】
これにより、立体表示画像を表示する場合であっても、消費電力低減効果の高い表示装置を提供することができる。
【００３１】
また、本発明の一態様に係る表示装置は、前記表示部は、１フレームが前記画像表示期間の異なる複数のサブフィールドに分割され、表示階調に応じて前記複数のサブフィールドから選択するサブフィールド法によって表示を行ってもよい。
【００３２】
これにより、サブフィールド法により、複数のサブフィールドでの画像表示期間が異なる場合であっても、消費電力低減効果の高い表示装置を提供することができる。
【００３３】
また、本発明の一態様に係る表示装置は、前記電圧検出部は、前記画像表示期間のうち、全面黒画像を表示する画像表示期間について前記高電位側の電位及び低電位側の電位のうちの少なくとも一方の電位の検出を行わなくてもよい。
【００３４】
これにより、画像データの書き込みが行われている黒表示期間のみに限らず、画像表示期間において全面黒い画像が表示される場合であっても、電圧検出を行わないので、より消費電力低減効果の高い表示装置を提供することができる。
【００３５】
また、本発明の一態様に係る表示装置は、前記表示部は、前記画像表示期間において前記複数の発光画素を同時に発光状態とし、前記黒表示期間において前記複数の発光画素を同時に非発光状態としてもよい。
【００３６】
これにより、表示装置に画像データを書き込む間は表示画像を非発光状態とし、画像データの書き込みが終了した後に表示画像を一括して発行することができるので、鮮明な画像を提供するとともに、消費電力を低減することができる。
【００３７】
また、本発明の一態様に係る表示装置は、前記高電位側の印加電位が検出される前記発光画素と、前記低電位側の印加電位が検出される前記発光画素とが異なる発光画素であってもよい。
【００３８】
これにより、高電位側の電源線の電圧降下分布と、低電位側の電源線の電圧降下（上昇）分布とが異なる場合に、異なる発光画素からの電位情報に基づいて電源供給部の高電位側出力電位と低電位側出力電位とを調整できるので、より効果的に消費電力を削減することが可能となる。
【００３９】
また、本発明の一態様に係る表示装置は、前記高電位側の印加電位が検出される前記発光画素の個数、及び前記低電位側の印加電位が検出される前記発光画素の個数の少なくとも一方は、複数であってもよい。
【００４０】
これにより、検出された高電位側の電位または低電位側の電位のうちいずれかが複数であれば、表示装置に供給する電圧調整に最適の電位を選択することができる。よって、電源供給部からの出力電位をより精密に調整することが可能となる。よって、表示部を大型化した場合であっても、消費電力を効果的に削減できる。
【００４１】
また、本発明の一態様に係る表示装置は、前記電圧調整部は、前記電圧検出部で検出された複数の高電位側の印加電位のうち最小の印加電位と、前記電圧検出部で検出された複数の低電位側の印加電位のうち最大の印加電位との少なくとも一方を選択し、当該選択した印加電位に基づいて前記電源供給部を調整してもよい。
【００４２】
これにより、複数の検出電位のうち最小または最大の電位を選択することができるため、電源供給部からの出力電位をより精密に調整することが可能となる。よって、表示部を大型化した場合であっても、消費電力を効果的に削減できる。
【００４３】
また、本発明の一態様に係る表示装置は、さらに、前記高電位側の印加電位が検出される前記発光画素に一端が接続され、前記電圧調整部に他端が接続された、前記高電位側の印加電位を伝達するための高電位側検出線と、前記低電位側の印加電位が検出される前記発光画素に一端が接続され、前記電圧調整部に他端が接続された、前記低電位側の印加電位を伝達するための低電位側検出線との少なくとも一方を備えてもよい。
【００４４】
これにより、電圧検出部は、高電位側検出線を介して少なくとも一つの発光画素に印加される高電位側の電位、及び、低電位側検出線を介して少なくとも一つの発光画素に印加される低電位側の電位、の少なくとも一方を測定できる。
【００４５】
また、本発明の一態様に係る表示装置は、前記電圧検出部は、さらに、前記電源供給部により出力される、前記高電位側の出力電位及び前記低電位側の出力電位の少なくとも一方を検出し、前記電圧調整部は、前記電源供給部により出力される前記高電位側の出力電位と、前記少なくとも１つの発光画素に印加される高電位側の印加電位との電位差、及び、前記電源供給部により出力される前記低電位側の出力電位と、前記少なくとも一つの発光画素に印加される低電位側の印加電位との電位差の少なくとも一方の電位差に応じて、前記電源供給部から出力される前記高電位側の出力電位及び前記低電位側の出力電位の少なくとも一方を調整してもよい。
【００４６】
これにより、電源供給部から少なくとも一つの発光画素までに発生する電圧降下量に応じて、電源供給部の高電位側の出力電位及び電源供給部の低電位側の出力電位の少なくとも一方を調整することにより、消費電力を削減することができる。
【００４７】
また、本発明の一態様に係る表示装置は、前記電圧調整部は、前記少なくとも一方の電位差と、前記高電位側の印加電位と基準電位との電位差、及び、前記低電位側の印加電位と基準電位との電位差の少なくとも一方の電位差とが、増加関数の関係となるように、前記電源供給部から出力される前記高電位側の出力電位及び前記低電位側の出力電位を調整してもよい。
【００４８】
これにより、基準電圧に対する電圧変動を検出するため、電源供給部から少なくとも一つの発光画素までに発生する電圧降下量に応じて、電源供給部の高電位側の出力電位及び電源供給部の低電位側の出力電位の少なくとも一方を調整することにより、消費電力を削減することができる。
【００４９】
また、本発明の一態様に係る表示装置は、前記電圧検出部は、さらに、前記電源供給部と前記発光画素の高電位側とを接続する電流経路上における高電位側の電位、及び前記電源供給部と前記発光画素の低電位側とを接続する電流経路上における低電位側の電位の少なくとも一方を検出し、前記電圧調整部は、前記電源供給部と前記発光画素の高電位側とを接続する電流経路上における前記高電位側の電位と、前記少なくとも１つの発光画素に印加される高電位側の印加電位との電位差、及び、前記電源供給部と前記発光画素の低電位側とを接続する電流経路上における前記低電位側の電位と、前記少なくとも一つの発光画素に印加される低電位側の印加電位との電位差の少なくとも一方の電位差に応じて、前記電源供給部から出力される前記高電位側の出力電位及び前記低電位側の出力電位の少なくとも一方を調整してもよい。
【００５０】
これにより、発光画素に印加された電圧と、表示領域外の配線経路上における電圧との電位差を検出することにより、表示領域内のみにおける電圧降下量に応じて電源供給部からの出力電圧を調整することが可能となる。
【００５１】
また、本発明の一態様に係る表示装置は、前記電圧調整部は、前記少なくとも一方の電位差と、前記高電位側の印加電位と基準電位との電位差、及び、前記低電位側の印加電位と基準電位との電位差の少なくとも一方の電位差とが、増加関数の関係となるように調整してもよい。
【００５２】
これにより、電源供給部の高電位側の出力電位及び電源供給部の低電位側の出力電位をより適切に調整でき、消費電力を一層削減することができる。
【００５３】
また、本発明の一態様に係る表示装置は、前記複数の発光画素は、それぞれ、ソース電極及びドレイン電極を有する駆動素子と、第１の電極及び第２の電極を有する発光素子とを備え、前記第１の電極が前記駆動素子のソース電極及びドレイン電極の一方に接続され、前記ソース電極及びドレイン電極の他方と前記第２の電極との一方に高電位側の電位が印加され、前記ソース電極及びドレイン電極の他方と前記第２の電極との他方に低電位側の電位が印加されてもよい。
【００５４】
また、本発明の一態様に係る表示装置は、前記複数の発光画素は、行列状に配列されており、行方向及び列方向の少なくとも一つの方向に隣接する前記発光素子の前記ソース電極及びドレイン電極の他方どうしを接続する第１の電源線と、行方向及び列方向に隣接する前記発光素子の前記第２の電極どうしを接続する第２の電源線とをさらに備え、前記第１の電源線と第２の電源線を介して前記電源供給部からの電源供給を受けてもよい。
【００５５】
また、本発明の一態様に係る表示装置は、前記第２の電極及び前記第２の電源線は、前記複数の発光画素に共通して設けられた共通電極の一部を構成しており、前記共通電極の周囲から電位が印加されるように、前記電源供給部と電気的に接続されていてもよい。
【００５６】
また、本発明の一態様に係る表示装置は、前記第２の電極は、金属酸化物からなる透明導電性材料で形成されていてもよい。
【００５７】
また、本発明の一態様に係る表示装置は、前記表示部内における少なくとも一つの発光画素に印加される高電位側の電位及び低電位側の電位のうちの少なくとも一方の電位を検出する電圧検出ステップと、前記高電位側の電位と基準電位との電位差、前記低電位側の電位と基準電位との電位差、または、前記高電位側の電位と前記低電位側の電位との電位差のいずれかが所定の電位差となるように、前記電源供給部から出力される前記高電位側及び前記低電位側の出力電位の少なくとも一方を調整する電圧調整ステップとを含み、前記表示部は、前記複数の発光画素の少なくとも一部で画像表示を行う画像表示期間と、前記複数の発光画素の全てで黒表示を行う黒表示期間とを交互に繰り返し、前記画像表示期間の少なくとも一部において前記電圧検出ステップを実行し、前記黒表示期間において前記電圧検出ステップを実行しないことを特徴とする。
【００５８】
これにより、画像表示期間においてのみ発光画素の電圧検出を行い、画像表示期間に検出された電圧に基づいて調整された電圧を、画像表示期間及び黒表示期間にパネルに供給するので、発光画素に供給される電圧が大きく変動することがなく、消費電力低減効果の高い表示装置を提供することができる。
【００５９】
以下、本発明の好ましい実施の形態を図に基づき説明する。なお、以下では、全ての図を通じて同一又は相当する要素には同じ符号を付して、その重複する説明を省略する。
【００６０】
（実施の形態１）
本実施の形態に係る表示装置は、高電位側の電位及び低電位側の電位を出力する電源供給部と、複数の発光画素が配置され、前記電源供給部から電源供給を受ける表示部と、前記表示部内における少なくとも一つの発光画素に印加される高電位側の電位及び低電位側の電位のうちの少なくとも一方の電位を検出する電圧検出部と、前記高電位側の電位と基準電位との電位差、前記低電位側の電位と基準電位との電位差、または、前記高電位側の電位と前記低電位側の電位との電位差のいずれかが所定の電位差となるように、前記電源供給部から出力される前記高電位側及び前記低電位側の出力電位の少なくとも一方を調整する電圧調整部とを具備し、前記表示部は、前記複数の発光画素の少なくとも一部で画像表示を行う画像表示期間と、前記複数の発光画素の全てで黒表示を行う黒表示期間とを交互に繰り返し、前記画像表示期間の少なくとも一部において、前記電圧検出部は前記高電位側の電位及び低電位側の電位のうちの少なくとも一方の電位の検出を行い、前記黒表示期間において、前記電圧検出部は前記高電位側の電位及び低電位側の電位のうちの少なくとも一方の電位の検出を行わないことを特徴とする。
【００６１】
これにより、本実施の形態に係る表示装置は、高い消費電力低減効果を実現する。
【００６２】
以下、本発明の実施の形態１について、図を用いて具体的に説明する。
【００６３】
図１は、本発明の実施の形態１に係る表示装置の概略構成を示すブロック図である。
【００６４】
同図に示す表示装置５０は、有機ＥＬ表示部１１０と、データ線駆動回路１２０と、書込走査駆動回路１３０と、発光制御回路１３５と、制御回路１４０と、信号処理回路１６５と、サンプルホールド回路１７５と、基準電圧設定部１７７と、可変電圧源１８０と、モニタ用配線１９０とを備える。
【００６５】
図２は、実施の形態１に係る有機ＥＬ表示部１１０の構成を模式的に示す斜視図である。なお、図中上方が表示面側である。
【００６６】
同図に示すように、有機ＥＬ表示部１１０は、複数の発光画素１１１と、第１電源配線１１２と、第２電源配線１１３とを有する。
【００６７】
発光画素１１１は、第１電源配線１１２及び第２電源配線１１３に接続され、当該発光画素１１１に流れる画素電流ｉｐｉｘに応じた輝度で発光する。複数の発光画素１１１のうち、予め定められた少なくとも一つの発光画素は、検出点Ｍ１でモニタ用配線１９０に接続されている。以降、モニタ用配線１９０に直接接続された発光画素１１１をモニタ用の発光画素１１１Ｍと記載する。モニタ用の発光画素１１１Ｍは、有機ＥＬ表示部１１０の中央付近に配置されている。なお、中央付近とは、中央とその周縁部とを含む。
【００６８】
第１電源配線１１２は、網目状に形成されている。一方、第２電源配線１１３は、有機ＥＬ表示部１１０にベタ膜状に形成され、有機ＥＬ表示部１１０の周縁部から可変電圧源１８０で出力された電位が印加される。図２においては、第１電源配線１１２及び第２電源配線１１３の抵抗成分を示すために、第１電源配線１１２及び第２電源配線１１３を模式的にメッシュ状に図示している。なお、第２電源配線１１３は、例えばグランド線であり、有機ＥＬ表示部１１０の周縁部で表示装置５０の共通接地電位に接地されていてもよい。
【００６９】
第１電源配線１１２には、水平方向の第１電源配線抵抗Ｒ１ｈと垂直方向の第１電源配線抵抗Ｒ１ｖが存在する。第２電源配線１１３には、水平方向の第２電源配線抵抗Ｒ２ｈと垂直方向の第２電源配線抵抗Ｒ２ｖとが存在する。なお、図示されていないが、発光画素１１１は、書込走査駆動回路１３０、発光制御回路１３５及びデータ線駆動回路１２０に、発光画素１１１への信号電圧の書き込みを制御するための走査線１２３と、発光画素１１１が発光及び消光するタイミングを制御するための発光制御線１２８と、発光画素１１１の発光輝度に対応する信号電圧を供給するためのデータ線１２２とを介して接続されている。
【００７０】
図３は、モニタ用の発光画素１１１Ｍの具体的な構成の一例を示す回路図である。
【００７１】
同図に示す発光画素１１１は、駆動素子と発光素子とを含み、駆動素子は、ソース電極及びドレイン電極を含み、発光素子は、第１の電極及び第２の電極を含み、当該第１の電極が発光制御トランジスタ１２７を介して前記駆動素子のソース電極及びドレイン電極の一方に接続され、ソース電極及びドレイン電極の他方と第２の電極との一方に高電位側の電位が印加され、ソース電極及びドレイン電極の他方と第２の電極との他方に低電位側の電位が印加される。具体的には、発光画素１１１は、有機ＥＬ素子１２１と、データ線１２２と、走査線１２３と、発光制御線１２８と、スイッチトランジスタ１２４と、駆動トランジスタ１２５と、保持容量１２６と、発光制御トランジスタ１２７とを有する。この発光画素１１１は、有機ＥＬ表示部１１０に、例えばマトリクス状に配置されている。
【００７２】
有機ＥＬ素子１２１は、本発明の発光素子であって、アノードが発光制御トランジスタ１２７を介して駆動トランジスタ１２５のドレインに接続され、カソードが第２電源配線１１３に接続され、アノードとカソードとの間に流れる電流値に応じた輝度で発光する。この有機ＥＬ素子１２１のカソード側の電極は、複数の発光画素１１１に共通して設けられた共通電極の一部を構成しており、該共通電極は、その周縁部から電位が印加されるように、可変電圧源１８０と電気的に接続されている。つまり、共通電極が有機ＥＬ表示部１１０における第２電源配線１１３として機能する。また、カソード側の電極は、金属酸化物からなる透明導電性材料で形成されている。なお、有機ＥＬ素子１２１のアノード側の電極は本発明の第１の電極であり、有機ＥＬ素子１２１のカソード側の電極は本発明の第２の電極である。
【００７３】
データ線１２２は、データ線駆動回路１２０と、スイッチトランジスタ１２４のソース及びドレインの一方に接続され、データ線駆動回路１２０により映像データに対応する信号電圧が印加される。
【００７４】
走査線１２３は、書込走査駆動回路１３０と、スイッチトランジスタ１２４のゲートに接続され、書込走査駆動回路１３０により印加される電圧に応じて、スイッチトランジスタ１２４をオン及びオフする。
【００７５】
スイッチトランジスタ１２４は、ソース及びドレインの一方がデータ線１２２に接続され、ソース及びドレインの他方が駆動トランジスタ１２５のゲート及び保持容量１２６の一端に接続された、例えば、Ｐ型薄膜トランジスタ（ＴＦＴ）である。
【００７６】
駆動トランジスタ１２５は、本発明の駆動素子であって、ソースが第１電源配線１１２に接続され、ドレインが発光制御トランジスタ１２７を介して有機ＥＬ素子１２１のアノードに接続され、ゲートが保持容量１２６の一端及びスイッチトランジスタ１２４のソース及びドレインの他方に接続された、例えば、Ｐ型ＴＦＴである。これにより、駆動トランジスタ１２５は、保持容量１２６に保持された電圧に応じた電流を有機ＥＬ素子１２１に供給する。また、モニタ用の発光画素１１１Ｍにおいて、駆動トランジスタ１２５のソースは、モニタ用配線１９０と接続されている。
【００７７】
保持容量１２６は、一端がスイッチトランジスタ１２４のソース及びドレインの他方に接続され、他端が第１電源配線１１２に接続され、スイッチトランジスタ１２４がオフされたときの第１電源配線１１２の電位と駆動トランジスタ１２５のゲートの電位との電位差を保持する。つまり、信号電圧に対応する電圧を保持する。
【００７８】
データ線駆動回路１２０は、映像データに対応する信号電圧を、データ線１２２を介して発光画素１１１に出力する。
【００７９】
書込走査駆動回路１３０は、複数の走査線１２３に走査信号を出力することで、複数の発光画素１１１を順に走査する。具体的には、スイッチトランジスタ１２４を行単位でオン及びオフする。これにより、書込走査駆動回路１３０により選択されている行の複数の発光画素１１１に、複数のデータ線１２２に出力された信号電圧が印加される。よって、発光画素１１１に信号電圧が書き込まれる。
【００８０】
発光制御回路１３５は、発光制御線１２８に発光制御信号を出力することで、発光制御トランジスタ１２７をオンまたはオフし、発光画素１１１を発光または消光させる。
【００８１】
制御回路１４０は、データ線駆動回路１２０、書込走査駆動回路１３０及び発光制御回路１３５のそれぞれに、駆動タイミングを指示する。
【００８２】
信号処理回路１６５は、入力された映像データに対応する信号電圧をデータ線駆動回路１２０へ出力する。
【００８３】
サンプルホールド回路１７５は、信号処理回路１６５からのサンプルパルスに基づいて、サンプルホールド動作をする。サンプルホールド回路１７５は、信号処理回路１６５からのサンプルパルスのパルスタイミングにより、検出点Ｍ１の電位をサンプルして可変電圧源１８０に継続して出力する。サンプル期間以外は直前にサンプルした検出点Ｍ１の電位をホールドして可変電圧源１８０に継続して出力する。なお、モニタ用配線１９０及びサンプルホールド回路１７５は、本発明における電圧検出部に相当する。
【００８４】
基準電圧設定部１７７は、可変電圧源１８０に対して、第１基準電圧Ｖｒｅｆ１を出力する。第１基準電圧Ｖｒｅｆ１は、有機ＥＬ素子１２１に必要な電圧ＶＥＬと駆動トランジスタ１２５に必要な電圧ＶＴＦＴとの合計ＶＴＦＴ＋ＶＥＬに相当する電圧である。
【００８５】
可変電圧源１８０は、本発明の電圧調整部であって、モニタ用の発光画素１１１Ｍの電位を所定の電位にするように調整する。可変電圧源１８０は、モニタ用の発光画素１１１Ｍに印加される高電位側の電位を、モニタ用配線１９０及びサンプルホールド回路１７５を介して測定する。つまり、検出点Ｍ１の電位を測定する。そして、測定した検出点Ｍ１の電位と、基準電圧設定部１７７から出力された第１基準電圧Ｖｒｅｆ１とに応じて、出力電圧Ｖｏｕｔを調整する。なお、可変電圧源１８０は、モニタ用の発光画素１１１Ｍに印加される低電位側の電位を測定してもよい。
【００８６】
モニタ用配線１９０は、一端が検出点Ｍ１に接続され、他端がサンプルホールド回路１７５に接続され、検出点Ｍ１の電位を可変電圧源１８０に伝達する。これにより、サンプルパルスが入力されてから次のサンプルパルスが入力されるまで、サンプルホールド回路１７５にモニタ用の発光画素１１１Ｍの電位が保持される。
【００８７】
次に、この可変電圧源１８０の詳細な構成について簡単に説明する。
【００８８】
図４は、実施の形態１に係る可変電圧源１８０の具体的な構成の一例を示すブロック図である。なお、同図には可変電圧源１８０に接続されている有機ＥＬ表示部１１０、サンプルホールド回路１７５及び基準電圧設定部１７７も示されている。
【００８９】
同図に示す可変電圧源１８０は、比較回路１８１と、ＰＷＭ（Ｐｕｌｓｅ  Ｗｉｄｔｈ  Ｍｏｄｕｌａｔｉｏｎ）回路１８２と、ドライブ回路１８３と、スイッチング素子ＳＷと、ダイオードＤと、インダクタＬと、コンデンサＣと、出力端子１８４とを有し、入力電圧Ｖｉｎを第１基準電圧Ｖｒｅｆ１に応じた出力電圧Ｖｏｕｔに変換し、出力端子１８４から出力電圧Ｖｏｕｔを出力する。なお、図示していないが、入力電圧Ｖｉｎが入力される入力端子の前段には、ＡＣ−ＤＣ変換器が挿入され、例えば、ＡＣ１００ＶからＤＣ２０Ｖへの変換が済んでいるものとする。
【００９０】
比較回路１８１は、出力検出部１８５及び誤差増幅器１８６を有し、検出点Ｍ１の電位と基準電圧設定部１７７から入力された第１基準電圧Ｖｒｅｆ１との差分に応じた電圧をＰＷＭ回路１８２に出力する。
【００９１】
出力検出部１８５は、サンプルホールド回路１７５と、接地電位との間に挿入された２つの抵抗Ｒ１及びＲ２を有し、検出点Ｍ１の電位を抵抗Ｒ１及びＲ２の抵抗比に応じて分圧し、分圧された検出点Ｍ１の電位を誤差増幅器１８６へ出力する。
【００９２】
誤差増幅器１８６は、出力検出部１８５で分圧された検出点Ｍ１の電位と、基準電圧設定部１７７から出力された第１基準電圧Ｖｒｅｆ１とを比較し、その比較結果に応じた電圧をＰＷＭ回路１８２へ出力する。具体的には、誤差増幅器１８６は、オペアンプ１８７と、抵抗Ｒ３及びＲ４とを有する。オペアンプ１８７は、反転入力端子が抵抗Ｒ３を介して出力検出部１８５に接続され、非反転入力端子が基準電圧設定部１７７に接続され、出力端子がＰＷＭ回路１８２と接続されている。また、オペアンプ１８７の出力端子は、抵抗Ｒ４を介して反転入力端子と接続されている。これにより、誤差増幅器１８６は、出力検出部１８５から入力された電圧と基準電圧設定部１７７から入力された第１基準電圧Ｖｒｅｆ１との電位差に応じた電圧をＰＷＭ回路１８２へ出力する。言い換えると、検出点Ｍ１の電位と第１基準電圧Ｖｒｅｆ１との電位差に応じた電圧をＰＷＭ回路１８２へ出力する。
【００９３】
ここで、可変電圧源１８０の出力電位をＶｏｕｔとし、可変電圧源１８０の出力端子１８４から検出点Ｍ１までの電圧降下量をΔＶとすると、検出点Ｍ１の電位はＶｏｕｔ−ΔＶとなる。つまり、本実施の形態において、比較回路１８１はＶｒｅｆ１とＶｏｕｔ−ΔＶとを比較している。上述したように、Ｖｒｅｆ１＝ＶＴＦＴ＋ＶＥＬなので、比較回路１８１はＶＴＦＴ＋ＶＥＬとＶｏｕｔ−ΔＶとを比較していると言える。
【００９４】
ＰＷＭ回路１８２は、比較回路１８１から出力された電圧に応じてデューティの異なるパルス波形をドライブ回路１８３に出力する。具体的には、ＰＷＭ回路１８２は、比較回路１８１から出力された電圧が大きい場合オンデューティの長いパルス波形を出力し、出力された電圧が小さい場合オンデューティの短いパルス波形を出力する。言い換えると、検出点Ｍ１の電位と第１基準電圧Ｖｒｅｆ１との電位差が大きい場合オンデューティの長いパルス波形を出力し、検出点Ｍ１の電位と第１基準電圧Ｖｒｅｆ１との電位差が小さい場合オンデューティの短いパルス波形を出力する。なお、パルス波形のオンの期間とは、パルス波形がアクティブの期間である。
【００９５】
ドライブ回路１８３は、ＰＷＭ回路１８２から出力されたパルス波形がアクティブの期間にスイッチング素子ＳＷをオンし、ＰＷＭ回路１８２から出力されたパルス波形が非アクティブの期間にスイッチング素子ＳＷをオフする。
【００９６】
スイッチング素子ＳＷは、ドライブ回路１８３によりオン及びオフする。スイッチング素子ＳＷがオンの間だけ、入力電圧ＶｉｎがインダクタＬ及びコンデンサＣを介して、出力端子１８４に出力電圧Ｖｏｕｔとして出力される。よって、出力電圧Ｖｏｕｔは０Ｖから徐々に２０Ｖ（Ｖｉｎ）に近づいていく。
【００９７】
検出点Ｍ１の電位が第１基準電圧Ｖｒｅｆ１に近づくにつれて、ＰＷＭ回路１８２に入力される電圧は小さくなり、ＰＷＭ回路１８２が出力するパルス信号のオンデューティは短くなる。
【００９８】
すると、スイッチング素子ＳＷがオンする時間も短くなり、検出点Ｍ１の電位は緩やかに第１基準電圧Ｖｒｅｆ１に収束してゆく。
【００９９】
最終的に、検出点Ｍ１の電位＝Ｖｒｅｆ１付近の電位でわずかに電圧変動しながら出力電圧Ｖｏｕｔの電位が確定する。
【０１００】
このように、基準電圧設定部１７７から入力された第１基準電圧Ｖｒｅｆ１により、可変電圧源１８０は出力電圧Ｖｏｕｔを調整し、有機ＥＬ表示部１１０へ供給する。
【０１０１】
次に、上述した表示装置５０の動作について図５及び図６を用いて説明する。
【０１０２】
図５は、本発明の表示装置５０の動作を示すフローチャートである。
【０１０３】
まず、基準電圧設定部１７７は、予め設定された、最高階調に対応する（ＶＥＬ＋ＶＴＦＴ）電圧をメモリから読み出す（ステップＳ１０）。
【０１０４】
具体的には、基準電圧設定部１７７は、各色の最高階調に対応するＶＴＦＴ＋ＶＥＬの必要電圧を示す必要電圧換算テーブルを用いて各色の最高階調に対応するＶＴＦＴ＋ＶＥＬを決定する。
【０１０５】
図６は、基準電圧設定部１７７が参照する必要電圧換算テーブルの一例を示す図である。
【０１０６】
同図に示すように、必要電圧換算テーブルには最高階調（２５５階調）に対応するＶＴＦＴ＋ＶＥＬの必要電圧が格納されている。例えば、Ｒの最高階調での必要電圧は１１．２Ｖ、Ｇの最高階調での必要電圧は１２．２Ｖ、Ｂの最高階調での必要電圧は８．４Ｖとなる。各色の最高階調での必要電圧のうち、最大の電圧はＧの１２．２Ｖである。よって、基準電圧設定部１７７は、ＶＴＦＴ＋ＶＥＬを１２．２Ｖと決定する。
【０１０７】
また、信号処理回路１６５からのサンプルパルスに基づいて、検出点Ｍ１の電位がモニタ用配線１９０及びサンプルホールド回路１７５を介して検出される（ステップＳ１４）。
【０１０８】
そして、可変電圧源１８０は、出力電圧Ｖｏｕｔを調整して（ステップＳ１８）、有機ＥＬ表示部１１０へ電圧を供給する。なお、ステップＳ１８の電圧調整処理は、本発明の電圧調整ステップに相当する。
【０１０９】
ここで、信号処理回路１６５は、画像表示期間の少なくとも一部においては、可変電圧源１８０にＨレベルのサンプルパルスを発生し、黒表示期間においてはサンプルパルスを発生しない。従って、有機ＥＬ表示部１１０に表示される映像データと、パネル印加電圧及びサンプルパルスは、以下のようになる。
【０１１０】
図７は表示装置５０の動作の一例を示す図であり、（ａ）は有機ＥＬ表示部１１０に表示される映像データを示す図、（ｂ）はパネル印加電圧を示す図、（ｃ）はサンプルパルスを示す図である。図７は、画像表示期間の少なくとも一部において、モニタ用配線１９０及びサンプルホールド回路１７５は高電位側の電位及び低電位側の電位のうちの少なくとも一方の電位の検出を行い、黒表示期間において、モニタ用配線１９０及びサンプルホールド回路１７５は高電位側の電位及び低電位側の電位のうちの少なくとも一方の電位の検出を行わないときの表示装置５０の動作の一例を示している。詳細には、以下の通りである。
【０１１１】
図７の（ａ）は、有機ＥＬ表示部１１０の発光画素１１１について、有機ＥＬ表示部１１０に表示される映像データの時間的な表示映像の変化を示している。同図の縦軸は、画面垂直方向を示し、横軸は時間を示している。また、ｔ０〜ｔ４が１つのフレーム期間に相当する。すなわち、例えば、時間ｔ＝ｔ０〜ｔ１において、有機ＥＬ表示部１１０には映像データは表示されていないが、有機ＥＬ表示部１１０の上側の発光画素１１１から下側の発光画素１１１に順に映像データが供給されている。この期間を、黒表示期間という。その後、例えば、時間ｔ＝ｔ１〜ｔ４において、有機ＥＬ表示部１１０の上側の発光画素１１１から下側の発光画素１１１に供給された映像データが、一斉に有機ＥＬ表示部１１０に表示される。この期間を画像表示期間という。また、同図における時間ｔ＝ｔ０〜ｔ４までを第Ｎフレーム、時間ｔ＝ｔ４〜ｔ８までを第Ｎ＋１フレームとすると、第Ｎフレームでは白ピーク階調（Ｒ：Ｇ：Ｂ＝２５５：２５５：２５５；輝度１００％）の映像データが、第Ｎ＋１フレームではグレー階調（Ｒ：Ｇ：Ｂ＝１２８：１２８：１２８；輝度５０％）の映像データが供給されていることを示している。なお、黒表示期間に有機ＥＬ表示部１１０に表示される黒表示は、発光制御回路により発光制御トランジスタがオフされることにより実現される表示であり、画像表示期間に黒階調（例えば、Ｒ：Ｇ：Ｂ＝０：０：０）の映像データが表示されるものとは異なる表示である。
【０１１２】
一例として、映像データを１２０Ｈｚで表示する場合、映像データの書き込み及び表示に要する時間は５．５ｍｓであり、黒表示期間は５．５ｍｓ、画像表示期間は２．８ｍｓである。
【０１１３】
信号処理回路１６５は、図７の（ｃ）に示すように、画像表示期間の少なくとも一部、例えば、時間＝ｔ２〜ｔ３において、Ｈレベルのサンプルパルスを発生する。
【０１１４】
詳細には、信号処理回路１６５は、第Ｎフレームの映像データを発光画素１１１へ入力する。ここで、時間ｔ＝ｔ２〜ｔ３において、信号処理回路１６５からＨレベルのサンプルパルスが発生すると、信号処理回路１６５は、検出点Ｍ１の電位のサンプルを行い、画像表示期間の終了以前にはサンプルホールド回路１７５にホールドさせる。
【０１１５】
ここで、第Ｎ＋１フレームの黒表示期間（ｔ４〜ｔ５）には有機ＥＬ表示部１１０には映像データは表示されないので、発光画素１１１における表示映像に対応した電圧降下分を補うためのパネル印加電圧を調整する必要はない。つまり、従来は、図７の（ｂ）の実線に示すように、画像表示期間には画像表示に対応した電圧降下分を補うためのパネル印加電圧（例えば、出力電圧Ｖｏｕｔ＝１２Ｖ）を、黒表示期間には黒表示に対応した電圧降下分を補うためのパネル印加電圧（例えば、出力電圧Ｖｏｕｔ＝８Ｖ）を可変電圧源１８０から供給していたが、本実施の形態によれば、同図の破線で示すように、黒表示期間には黒表示に対応した電圧降下分のパネル印加電圧（出力電圧Ｖｏｕｔ＝８Ｖ）を供給する必要はなく、黒表示期間であっても第Ｎフレーム画像表示期間の画像表示に対応した電圧降下分を補うためのパネル印加電圧（出力電圧Ｖｏｕｔ＝１２Ｖ）を供給（ホールド）し続けることができる。
【０１１６】
具体的には、第Ｎ＋１フレームの黒表示期間（ｔ４〜ｔ５）には、サンプルホールド回路１７５にホールドされていた、画像表示に対応した電圧降下分を補うためのパネル印加電圧（出力電圧Ｖｏｕｔ＝１２Ｖ）が可変電圧源１８０から有機ＥＬ表示部１１０へ供給される。
【０１１７】
また、従来は、図７の（ａ）に示すように、白階調の画像表示→黒表示→グレー階調の画像表示の順に表示を行う場合、図７の（ｂ）の実線に示すように、パネル印加電圧（出力電圧Ｖｏｕｔ）が１２Ｖ→８Ｖ→１０Ｖと変化していたが、本実施の形態では、同図の破線に示すように、パネル印加電圧（出力電圧Ｖｏｕｔ）が１２Ｖ→１０Ｖと変化するだけであるので、余分な消費電力（無効電力）を減らし、消費電力を削減することができる。
【０１１８】
なお、サンプルパルスは、画像表示期間の終了までにＬレベルにすればよい。つまり、画像表示期間内において画像表示期間よりも短い期間（例えば１ｍｓ）、サンプリングを行っていればよい。
【０１１９】
このように、本実施の形態に係る表示装置５０は、信号処理回路１６５と、信号処理回路１６５からのサンプルパルスに基づいてサンプルホールド動作をするサンプルホールド回路１７５と、可変電圧源１８０と、基準電圧設定部１７７とを含む。これにより、表示装置５０は、余分な電圧を減らし、消費電力を削減することができる。
【０１２０】
また、表示装置５０は、モニタ用の発光画素１１１Ｍが有機ＥＬ表示部１１０の中央付近に配置されていることにより、有機ＥＬ表示部１１０が大型化した場合にも、可変電圧源１８０の出力電圧Ｖｏｕｔを簡便に調整できる。
【０１２１】
また、消費電力を削減することにより有機ＥＬ素子１２１の発熱が抑えられるので、有機ＥＬ素子１２１の劣化を防止できる。
【０１２２】
なお、サンプルパルスの印加パターンは、上記した図７の（ｃ）に示したパターンには限定されず、画像表示期間内において画像表示期間よりも短い期間であればよい。例えば、図８は信号処理回路１６５によるサンプルパルスの印加パターンの一例を示す図であり、（ａ）は有機ＥＬ表示部１１０の映像データを示す図、（ｂ）はパネル印加電圧を示す図、（ｃ）はサンプルパルスを示す図である。
【０１２３】
例えば、図８の（ｃ）に示す時間ｔ＝ｔ２〜ｔ３に示すように、サンプリングの期間は、可能な限り狭くしてもよい。ここでいう可能な限りとは、サンプルホールド回路１７５が追随する範囲であり、一例として、１００μｓである。
【０１２４】
また、図８の（ｃ）における時間ｔ＝ｔ６〜ｔ７、ｔ８〜ｔ９、ｔ１０〜ｔ１１に示すように、複数回サンプリングを行ってもよい。
【０１２５】
また、映像データは、平面表示映像に限らず、立体表示映像データであってもよい。図９は、有機ＥＬ表示部１１０の映像データの一例を示す図であり、（ａ）は立体表示映像データを示す図、（ｂ）はサブフィールド表示による立体表示映像データを示す図である。
【０１２６】
図９の（ａ）に示すように、右眼用の画像、左眼用の画像図を交互に表示することにより、映像データを立体表示することができる。この場合においても、サンプルホールド回路１７５は、画像表示期間の少なくとも一部において信号処理回路１６５から出力されたＨレベルのサンプルパルスにより検出点Ｍ１の電圧の検出を行い、黒表示期間において検出点Ｍ１の電圧を検出行わない構成とすることができる。
【０１２７】
また、図９の（ｂ）に示すように、有機ＥＬ表示部１１０を複数の表示領域ごとに駆動して映像を表示するサブフィールド法による表示においても、サンプルホールド回路１７５は、画像表示期間の少なくとも一部において信号処理回路１６５から出力されたＨレベルのサンプルパルスにより検出点Ｍ１の電圧の検出を行い、画面全体の黒表示期間において検出点Ｍ１の電圧の検出を行わない。
【０１２８】
具体的には、図９の（ｂ）に示すように、有機ＥＬ表示部１１０は、有機ＥＬ表示部１１０の上側半分の表示領域に設けられた発光画素により構成される第１サブフィールド１１０Ａ、及び、下側半分の表示領域に設けられた発光画素により構成される第２サブフィールド１１０Ｂとを備えている。第１サブフィールド１１０Ａ及び第２サブフィールド１１０Ｂは、有機ＥＬ表示部１１０への映像データの書き込みに合わせて、画像表示期間と黒表示期間のタイミングが異なっている。例えば、図９の（ｂ）に示すサブフィールド法による表示では、第２サブフィールドの黒表示期間は、第１サブフィールドの黒表示期間の開始よりも２．８ｍｓ遅れている。これにより、第１サブフィールド及び第２サブフィールドが黒表示期間となる場合、及び、第１サブフィールド及び第２サブフィールドが画像表示期間となる場合が生じる。この表示方法により、画像表示期間を長く設けることができる。
【０１２９】
ここで、サンプルホールド回路１７５によるサンプルホールドは、第１サブフィールド及び第２サブフィールドのどちらかが画像表示期間である期間（ｔ２〜ｔ５）に行われる。つまり、第１サブフィールドの画像表示期間の開始と同時または開始後から、第２サブフィールドの画像表示期間の終了よりも早い時間に電圧のサンプリングが行われる。これにより、立体表示映像データの表示であっても、余分な電圧を減らし、消費電力を削減することができる。サンプルパルスのパルス時間は、一例として６．２５ｍｓである。
【０１３０】
以上のような構成により、消費電力低減効果の高い表示装置を提供することができる。
【０１３１】
なお、上記したサブフィールドは、第１のサブフィールドを上側半分の表示領域に設けられた発光画素、第２のサブフィールドを下側半分の表示領域に設けられた発光画素により構成することに限らず、例えば、第１のサブフィールドを奇数ラインに設けられた発光画素、第２のサブフィールドを偶数ラインに設けられた発光画素により構成してもよい。
【０１３２】
（実施の形態２）
本実施の形態に係る表示装置は、実施の形態１に係る表示装置と比較して、可変電圧源へ入力される基準電圧が、入力された映像データからフレームごと検出されたピーク信号に依存して変化する点が異なる。以下、実施の形態１と同じ点は説明を省略し、実施の形態１と異なる点を中心に説明する。また、実施の形態１と重複する図面については、実施の形態１に適用された図面を用いる。
【０１３３】
以下、本発明の実施の形態２について、図を用いて具体的に説明する。
【０１３４】
図１０は、本発明の実施の形態２に係る表示装置の概略構成を示すブロック図である。
【０１３５】
同図に示す表示装置１００は、有機ＥＬ表示部１１０と、データ線駆動回路１２０と、書込走査駆動回路１３０と、発光制御回路１３５と、制御回路１４０と、ピーク信号検出回路１５０と、信号処理回路１６０と、サンプルホールド回路１７５と、可変電圧源１８０と、モニタ用配線１９０とを備える。
【０１３６】
有機ＥＬ表示部１１０の構成については、実施の形態１の図２、図３に記載された構成と同様である。
【０１３７】
同図に示すように、有機ＥＬ表示部１１０は、複数の発光画素１１１と、第１電源配線１１２と、第２電源配線１１３とを有する。
【０１３８】
ピーク信号検出回路１５０は、表示装置１００に入力された映像データのピーク値を検出し、検出したピーク値を示すピーク信号を信号処理回路１６０へ出力する。具体的には、ピーク信号検出回路１５０は、映像データの中から色毎に最も高階調のデータをピーク値として検出する。高階調のデータとは、有機ＥＬ表示部１１０で明るく表示される画像に対応する。
【０１３９】
信号処理回路１６０は、ピーク信号検出回路１５０から出力されたピーク信号から、可変電圧源１８０に出力する第２基準電圧Ｖｒｅｆ２の電圧を決定する。具体的には、信号処理回路１６０は、必要電圧換算テーブルを用いて、有機ＥＬ素子１２１に必要な電圧ＶＥＬと駆動トランジスタ１２５に必要な電圧ＶＴＦＴとの合計ＶＴＦＴ＋ＶＥＬを決定する。そして、決定したＶＴＦＴ＋ＶＥＬを第２基準電圧Ｖｒｅｆ２の電圧とする。信号処理回路１６０が可変電圧源１８０に出力する第２基準電圧Ｖｒｅｆ２は、可変電圧源１８０の出力電圧Ｖｏｕｔと検出点Ｍ１の電位との電位差ΔＶに依存しない電圧である。
【０１４０】
サンプルホールド回路１７５は、信号処理回路１６０からのサンプルパルスに基づいて、サンプルホールド動作をする。サンプルホールド回路１７５は、信号処理回路１６０からのサンプルパルスのパルスタイミングにより、検出点Ｍ１の電位をサンプルして可変電圧源１８０に継続して出力する。サンプル期間以外は直前にサンプルした検出点Ｍ１の電位をホールドして可変電圧源１８０に継続して出力する。なお、モニタ用配線１９０及びサンプルホールド回路１７５は、本発明における電圧検出部に相当する。
【０１４１】
また、信号処理回路１６０は、ピーク信号検出回路１５０を介して入力された映像データに対応する信号電圧をデータ線駆動回路１２０へ出力する。
【０１４２】
可変電圧源１８０は、本発明の電圧調整部であって、モニタ用の発光画素１１１Ｍの電位を所定の電位にするように調整する。可変電圧源１８０は、モニタ用の発光画素１１１Ｍに印加される高電位側の電位を、モニタ用配線１９０及びサンプルホールド回路１７５を介して測定する。つまり、検出点Ｍ１の電位を測定する。そして、測定した検出点Ｍ１の電位と、信号処理回路１６０から出力された第２基準電圧Ｖｒｅｆ２とに応じて、出力電圧Ｖｏｕｔを調整する。なお、可変電圧源１８０は、モニタ用の発光画素１１１Ｍに印加される低電位側の電位を測定してもよい。
【０１４３】
モニタ用配線１９０は、一端が検出点Ｍ１に接続され、他端がサンプルホールド回路１７５に接続され、検出点Ｍ１の電位を可変電圧源１８０に伝達する。
【０１４４】
次に、上述した表示装置１００の動作について図１１及び図１２を用いて説明する。
【０１４５】
図１１は、本発明の表示装置１００の動作を示すフローチャートである。
【０１４６】
まず、ピーク信号検出回路１５０は、表示装置１００に入力された１フレーム期間の映像データを取得する（ステップＳ１１）。例えば、ピーク信号検出回路１５０は、バッファを有し、そのバッファに１フレーム期間の映像データを蓄積する。
【０１４７】
次に、ピーク信号検出回路１５０は、取得した映像データのピーク値を検出（ステップＳ１２）し、検出したピーク値を示すピーク信号を信号処理回路１６０へ出力する。具体的には、ピーク信号検出回路１５０は、色ごとに映像データのピーク値を検出する。例えば、映像データが赤（Ｒ）、緑（Ｇ）、青（Ｂ）のそれぞれについて０〜２５５（大きいほど輝度が高い）までの２５６階調で表されているとする。ここで、有機ＥＬ表示部１１０の一部の映像データがＲ：Ｇ：Ｂ＝１７７：１２４：１３５、有機ＥＬ表示部１１０の他の一部の映像データがＲ：Ｇ：Ｂ＝２４：１７７：５０、さらに他の一部の映像データがＲ：Ｇ：Ｂ＝１０：７０：１７６の場合、ピーク信号検出回路１５０はＲのピーク値として１７７、Ｇのピーク値として１７７、Ｂのピーク値として１７６を検出し、検出した各色のピーク値を示すピーク信号を信号処理回路１６０へ出力する。
【０１４８】
次に、信号処理回路１６０は、ピーク信号検出回路１５０から出力されたピーク値で有機ＥＬ素子１２１を発光させた場合の駆動トランジスタ１２５に必要な電圧ＶＴＦＴと、有機ＥＬ素子１２１に必要な電圧ＶＥＬとを決定する（ステップＳ１３）。具体的には、信号処理回路１６０は、各色の階調に対応するＶＴＦＴ＋ＶＥＬの必要電圧を示す必要電圧換算テーブルを用いて各色の階調に対応するＶＴＦＴ＋ＶＥＬを決定する。
【０１４９】
図１２は、信号処理回路１６０が有する必要電圧換算テーブルの一例を示す図である。
【０１５０】
同図に示すように、必要電圧換算テーブルには各色の階調に対応するＶＴＦＴ＋ＶＥＬの必要電圧が格納されている。例えば、Ｒのピーク値１７７に対応する必要電圧は８．５Ｖ、Ｇのピーク値１７７に対応する必要電圧は９．９Ｖ、Ｂのピーク値１７６に対応する必要電圧は６．７Ｖとなる。各色のピーク値に対応する必要電圧のうち、最大の電圧はＧのピーク値に対応する９．９Ｖである。よって、信号処理回路１６０は、ＶＴＦＴ＋ＶＥＬを９．９Ｖと決定する。
【０１５１】
一方、信号処理回路１６０からのサンプルパルスに基づいて、検出点Ｍ１の電位がモニタ用配線１９０及びサンプルホールド回路１７５を介して検出される（ステップＳ１４）。
【０１５２】
そして、可変電圧源１８０は、出力電圧Ｖｏｕｔを調整して（ステップＳ１８）、有機ＥＬ表示部１１０へ供給する。なお、ステップＳ１８の電圧調整処理は、本発明の電圧調整ステップに相当する。
【０１５３】
また、信号処理回路１６０は、画像表示期間の少なくとも一部においては、可変電圧源１８０にＨレベルのサンプルパルスを発生し、黒表示期間においてはサンプルパルスを発生しない。従って、有機ＥＬ表示部１１０に表示される映像データと、パネル印加電圧及びサンプルパルスは、実施の形態１における図７に示したのと同様になる。
【０１５４】
このように、本実施の形態に係る表示装置１００は、ピーク信号検出回路１５０と、信号処理回路１６０と、信号処理回路１６０からのサンプルパルスに基づいてサンプルホールド動作をするサンプルホールド回路１７５と、高電位側の電位及び低電位側の電位を出力する可変電圧源１８０とを含む。
【０１５５】
これにより、表示装置１００は、余分な電圧を減らし、消費電力を削減することができる。
【０１５６】
また、表示装置１００は、モニタ用の発光画素１１１Ｍが有機ＥＬ表示部１１０の中央付近に配置されていることにより、有機ＥＬ表示部１１０が大型化した場合にも、可変電圧源１８０の出力電圧Ｖｏｕｔを簡便に調整できる。
【０１５７】
また、消費電力を削減することにより有機ＥＬ素子１２１の発熱が抑えられるので、有機ＥＬ素子１２１の劣化を防止できる。
【０１５８】
（実施の形態３）
本実施の形態に係る表示装置は、実施の形態２に係る表示装置１００と比較して、２以上の発光画素１１１のそれぞれについて高電位側の電位を測定し、測定した複数の電位のうちの最小の電位と、基準電位とに基づいて可変電圧源１８０を調整する点が異なる。
【０１５９】
これにより、可変電圧源１８０の出力電圧Ｖｏｕｔをより適切に調整することが可能となる。よって、有機ＥＬ表示部を大型化した場合であっても、消費電力を効果的に削減できる。
【０１６０】
図１３は、本発明の実施の形態３に係る表示装置の概略構成の一例を示すブロック図である。
【０１６１】
同図に示す本実施の形態に係る表示装置３００Ａは、図１０に示した実施の形態２に係る表示装置１００とほぼ同じであるが、表示装置１００と比較してさらに電位比較回路３７０Ａを備え、有機ＥＬ表示部１１０に代わり有機ＥＬ表示部３１０を備え、モニタ用配線１９０に代わりモニタ用配線３９１〜３９５を備える点が異なる。なお、図１３においては、発光制御回路１３５の図示を省略している。
【０１６２】
有機ＥＬ表示部３１０は、有機ＥＬ表示部１１０とほぼ同じであるが、有機ＥＬ表示部１１０と比較して、検出点Ｍ１〜Ｍ５と１対１に対応して設けられ、対応する検出点の電位を測定するためのモニタ用配線３９１〜３９５が配置されている点が異なる。
【０１６３】
検出点Ｍ１〜Ｍ５は、有機ＥＬ表示部３１０内に均等に設けられていることが望ましく、図１３に示すように、例えば、有機ＥＬ表示部３１０の中心と、有機ＥＬ表示部３１０を４分割した各領域の中心とが望ましい。なお、同図には、５つの検出点Ｍ１〜Ｍ５が図示されているが、検出点は複数であればよく、２つでも、３つでもよい。
【０１６４】
モニタ用配線３９１〜３９５は、それぞれ、対応する検出点Ｍ１〜Ｍ５と、電位比較回路３７０Ａとに接続され、対応する検出点Ｍ１〜Ｍ５の電位を伝達する。これにより、電位比較回路３７０Ａは、モニタ用配線３９１〜３９５を介して検出点Ｍ１〜Ｍ５の電位を測定できる。
【０１６５】
電位比較回路３７０Ａは、モニタ用配線３９１〜３９５を介して検出点Ｍ１〜Ｍ５の電位を測定する。言い換えると、複数のモニタ用の発光画素１１１Ｍに印加される高電位側の電位を測定する。さらに、測定した検出点Ｍ１〜Ｍ５の電位のうち最小の電位を選択する。
【０１６６】
サンプルホールド回路１７５は、信号処理回路１６０からのサンプルパルスに基づいて、前記最小の電位をサンプルホールドするサンプルホールド動作をする。サンプル期間以外は直前にサンプルした前記最小の電位をホールドして可変電圧源１８０に継続して出力する。なお、モニタ用配線３９１〜３９５、電位比較回路３７０Ａ及びサンプルホールド回路１７５は、本発明における電圧検出部に相当する。
【０１６７】
可変電圧源１８０は、複数のモニタ用の発光画素１１１Ｍのうち最小の電位を所定の電位にするように調整した出力電圧Ｖｏｕｔを、有機ＥＬ表示部３１０に供給する。
【０１６８】
以上のように、本実施の形態に係る表示装置３００Ａは、電位比較回路３７０Ａが、有機ＥＬ表示部３１０内における複数の発光画素１１１のそれぞれについて、印加される高電位側の電位を測定し、測定した複数の発光画素１１１の電位のうち最小の電位を選択する。そして、発光画素１１１の電位のうち最小の電位と基準電位とに基づいて可変電圧源１８０は出力電圧を調整する。
【０１６９】
なお、本実施の形態に係る表示装置３００Ａにおいて、可変電圧源１８０は本発明の電源供給部であり、有機ＥＬ表示部３１０は本発明の表示部であり、可変電圧源１８０は本発明の電圧調整部である。
【０１７０】
以上、本発明に係る表示装置について実施に形態に基づき説明したが、本発明に係る表示装置は、上述した実施の形態に限定されるものではない。実施の形態１〜３に対して、本発明の主旨を逸脱しない範囲で当業者が思いつく各種変形を施して得られる変形例や、本発明に係る表示装置を内蔵した各種機器も本発明に含まれる。
【０１７１】
例えば、有機ＥＬ表示部内のモニタ用配線が配置されている発光画素の発光輝度の低下を補償してもよい。
【０１７２】
また、信号処理回路は、各色の階調に対応するＶＴＦＴ＋ＶＥＬの必要電圧を示す必要電圧換算テーブルを有するとしたが、必要電圧換算テーブルに代わり駆動トランジスタ１２５の電流−電圧特性と有機ＥＬ素子１２１の電流−電圧特性とを有し、２つの電流−電圧特性を用いてＶＴＦＴ＋ＶＥＬを決定してもよい。
【０１７３】
図１４は、駆動トランジスタの電流−電圧特性と有機ＥＬ素子の電流−電圧特性とをあわせて示すグラフである。横軸は、駆動トランジスタのソース電位に対して下がる方向を正方向としている。
【０１７４】
同図には、２つの異なる階調に対応する駆動トランジスタの電流−電圧特性及び有機ＥＬ素子の電流−電圧特性が示され、低い階調に対応する駆動トランジスタの電流−電圧特性がＶｓｉｇ１、高い階調に対応する駆動トランジスタの電流−電圧特性がＶｓｉｇ２で示されている。
【０１７５】
駆動トランジスタのドレイン−ソース電圧の変動に起因する表示不良の影響を無くすためには、駆動トランジスタを飽和領域で動作させることが必要である。一方、有機ＥＬ素子の発光輝度は駆動電流によって決定される。従って、映像データの階調に対応して有機ＥＬ素子を正確に発光させるためには、駆動トランジスタのソースと有機ＥＬ素子のカソードとの間の電圧から有機ＥＬ素子の駆動電流に対応する有機ＥＬ素子の駆動電圧（ＶＥＬ）を差し引き、差し引いた残りの電圧が駆動トランジスタを飽和領域で動作させることが可能な電圧となっていればよい。また、消費電力を低減するためには、駆動トランジスタの駆動電圧（ＶＴＦＴ）が低いことが望ましい。
【０１７６】
よって、図１４において、駆動トランジスタの線形領域と飽和領域との境界を示す線上で駆動トランジスタの電流−電圧特性と有機ＥＬ素子の電流−電圧特性とが交差する点を通る特性により求められるＶＴＦＴ＋ＶＥＬが、映像データの階調に対応して有機ＥＬ素子を正確に発光し、かつ、消費電力が最も低減できる。
【０１７７】
このように、図１４に示したグラフを用いて、各色の階調に対応するＶＴＦＴ＋ＶＥＬの必要電圧を換算してもよい。
【０１７８】
これにより、消費電力を一層削減することができる。
【０１７９】
また、実施の形態１〜３において、信号処理回路は、フレームごとに第１基準電圧Ｖｒｅｆ１または第２基準電圧Ｖｒｅｆ２を変えずに、複数フレーム（例えば、３フレーム）ごとに第１基準電圧Ｖｒｅｆ１または第２基準電圧Ｖｒｅｆ２を変えてもよい。
【０１８０】
これにより、第１基準電圧Ｖｒｅｆ１または第２基準電圧Ｖｒｅｆ２の電位が変動するために可変電圧源１８０で生じる消費電力を低減できる。
【０１８１】
また、図５及び図１２に示すフローチャートにおいて、検出点の電位の検出処理（ステップＳ１４）は、複数フレームにわたって実行されてもよい。
【０１８２】
また、信号処理回路は、高電位側の電位と基準電位との電位差、低電位側の電位と基準電位との電位差、または、高電位側の電位と低電位側の電位との電位差のいずれが所定の電位差となるように、可変電圧源から出力される電圧を調整してもよく、また、可変電圧源から出力される高電位側及び低電位側の出力電位のいずれを調整してもよい。
【０１８３】
また、印加電圧が検出される発光画素は、１つであってもよいし複数であってもよい。また、印加電圧が検出される発光画素の高電位側の印加電位が検出されてもよいし、低電位側の印加電位が検出されてもよい。また、可変電圧源は、検出された複数の高電位側の印加電位のうち最小の印加電位に基づいて電源供給部を調整してもよいし、検出された複数の低電位側の印加電位のうち最大の印加電位に基づいて電源供給部を調整してもよい。
【０１８４】
また、基準電圧設定部及び信号処理回路は、有機ＥＬ素子１２１の経年劣化マージンを考慮して、第１基準電圧Ｖｒｅｆ１及び第２基準電圧Ｖｒｅｆ２を決定してもよい。例えば、有機ＥＬ素子１２１の経年劣化マージンをＶａｄとすると、信号処理回路１６５は第１基準電圧Ｖｒｅｆ１の電圧をＶＴＦＴ＋ＶＥＬ＋Ｖａｄとしてもよく、信号処理回路１６０は第２基準電圧Ｖｒｅｆ２の電圧をＶＴＦＴ＋ＶＥＬ＋Ｖａｄとしてもよい。
【０１８５】
また、上記実施の形態においては、スイッチトランジスタ１２４、発光制御トランジスタ１２７及び駆動トランジスタ１２５をＰ型トランジスタとして記載したが、これらをＮ型トランジスタで構成してもよい。
【０１８６】
また、スイッチトランジスタ１２４、発光制御トランジスタ１２７及び駆動トランジスタ１２５は、ＴＦＴであるとしたが、その他の電界効果トランジスタであってもよい。
【０１８７】
また、上記実施の形態１〜３に係る表示装置に含まれる処理部は、典型的には集積回路であるＬＳＩとして実現される。なお、上記表示装置に含まれる処理部の一部を、有機ＥＬ表示部と同一の基板上に集積することも可能である。また、専用回路又は汎用プロセッサで実現してもよい。また、ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０１８８】
また、本発明の実施の形態１〜３に係る表示装置に含まれるデータ線駆動回路、書込走査駆動回路、発光制御回路、制御回路、ピーク信号検出回路及び信号処理回路の機能の一部を、ＣＰＵ等のプロセッサがプログラムを実行することにより実現してもよい。また、本発明は、上記表示装置が備える各処理部により実現される特徴的なステップを含む表示装置の駆動方法として実現してもよい。
【０１８９】
また、上記説明では、実施の形態１〜３に係る表示装置がアクティブマトリクス型の有機ＥＬ表示装置である場合を例に述べたが、本発明を、アクティブマトリクス型以外の有機ＥＬ表示装置に適用してもよいし、電流駆動型の発光素子を用いた有機ＥＬ表示装置以外の表示装置、例えば液晶表示装置に適用してもよい。
【０１９０】
また、例えば、本発明に係る表示装置は、図１５に記載されたような薄型フラットＴＶに内蔵される。本発明に係る画像表示装置が内蔵されることにより、映像信号を反映した高精度な画像表示が可能な薄型フラットＴＶが実現される。
【産業上の利用可能性】
【０１９１】
本発明は、とりわけアクティブ型の有機ＥＬフラットパネルディスプレイに有用である。
【符号の説明】
【０１９２】
５０、１００、３００Ａ    表示装置
１１０、３１０    有機ＥＬ表示部（表示部）
１１１、１１１Ｍ    発光画素
１１２    第１電源配線
１１３    第２電源配線
１２０    データ線駆動回路
１２１    有機ＥＬ素子
１２２    データ線
１２３    走査線
１２４    スイッチトランジスタ
１２５    駆動トランジスタ
１２６    保持容量
１２７    発光制御トランジスタ
１２８    発光制御線
１３０    書込走査駆動回路
１３５    発光制御回路
１４０    制御回路
１５０    ピーク信号検出回路
１６０、１６５    信号処理回路
１７５    サンプルホールド回路
１７７    基準電圧設定部
１８０    可変電圧源
１８１    比較回路
１８２    ＰＷＭ回路
１８３    ドライブ回路
１８４    出力端子
１８５    出力検出部
１８６    誤差増幅器
１９０、３９１、３９２、３９３、３９４、３９５    モニタ用配線
３７０Ａ    電位比較回路
Ｍ１    検出点
Ｒ１ｈ、Ｒ１ｖ    第１電源配線抵抗
Ｒ２ｈ、Ｒ２ｖ    第２電源配線抵抗
【図１】
2013008272.tif 000003
【図２】
2013008272.tif 000004
【図３】
2013008272.tif 000005
【図４】
2013008272.tif 000006
【図５】
2013008272.tif 000007
【図６】
2013008272.tif 000008
【図７】
2013008272.tif 000009
【図８】
2013008272.tif 000010
【図９】
2013008272.tif 000011
【図１０】
2013008272.tif 000012
【図１１】
2013008272.tif 000013
【図１２】
2013008272.tif 000014
【図１３】
2013008272.tif 000015
【図１４】
2013008272.tif 000016
【図１５】
2013008272.tif 000017
【国際調査報告】
2013008272.tif 000018
2013008272.tif 000019
2013008272.tif 000020
2013008272.tif 000021